(57)【要約】【課題】戸袋の厚みを薄くする構造とすると共に、組立調整、保守性、さらに意匠性の面でも優れたプラットホーム用薄型可動柵を提供することにある。【解決手段】扉２の支持部を戸袋の最上部に配置し、扉の駆動部を戸袋の最下部に配置し、戸袋の中央部を空間にする。ここで、扉の支持部はつば付きコロ７，８による支持とし、戸袋側にコの字形のブラケット１４を有してこの内側上下にレール５，６を設けると共に戸袋本体１ａとボルト１６，１７結合し、扉につば付きコロを有した２本のピン１２を圧入してレールに支持する構造とし、駆動部は、扉の下部に設置したラック９とピニオン１１による駆動とする。また、戸袋の全面カバーはホーム側面のみとし、軌道側は扉の支持部および駆動部分のみの部分カバー構造２３，２４とする。ここで、戸袋のホーム側面カバーと扉構造を透明材の組合せ構造とする。【選択図】　　図３
2004114824.tif 000002
【特許請求の範囲】
【請求項１】
軌道のプラットホームに設置される衝立上の戸袋と、前記戸袋にコロ支持させた扉とからなるプラットホーム用可動柵において、前記扉の支持部を前記戸袋の最上部に配置し、前記扉の駆動部を前記戸袋の最下部に配置し、前記戸袋の中央部を空間にしたことを特徴とするプラットホーム用薄型可動柵。
【請求項２】
請求項１において、前記扉の支持部はつば付きコロによる支持とし、前記戸袋側にコの字形のブラケットを有してこの内側上下にレールを設けると共に戸袋本体とボルト結合し、扉に前記つば付きコロを有した２本のピンを圧入して前記レールに支持する構造とし、前記駆動部は、前記扉の下部に設置したラックとピニオンによる駆動としたことを特徴とするプラットホーム用薄型可動柵。
【請求項３】
請求項１または請求項２において、前記戸袋の全面カバーはホーム側面のみとし、軌道側は前記扉の支持部および駆動部分のみの部分カバー構造としたことを特徴とするプラットホーム用薄型可動柵。
【請求項４】
請求項１または請求項２において、前記戸袋のホーム側面カバーと扉構造を透明材の組合せ構造としたことを特徴とするプラットホーム用薄型可動柵。
【請求項５】
請求項１から請求項４のいずれかにおいて、前記扉の上下の傾き、高さの調整をボルトによる調整機構としたことを特徴とするプラットホーム用薄型可動柵。
【発明の詳細な説明】
【０００１】
【発明の属する技術分野】
本発明は、軌道車両の駅構内のプラットホームに設置され、乗降客を危険から保護する（乗降客の線路上への転落事故あるいは列車との接触事故を防止する）プラットホーム用可動柵に関する。
【０００２】
【従来の技術】
プラットホーム用可動柵は、列車の待機中は閉塞され、列車がプラットホームに到着すると、扉が開かれて乗降客の通過を可能とするものであり、一般に、プラットホームに設置される衝立状の戸袋と、この戸袋に出入り自在に収納される引き戸式の扉とから構成されている。標準的な可動柵である１枚扉式は、戸袋厚みの最小幅が１５０ｍｍであることは公知である。
この１枚扉式可動柵の従来技術については、多くの公知例があり、その一例を図４に示す。図４は１枚扉式可動柵をホーム側から見た正面図である。扉支持方式としてスライドガイド５１による支持は公知であり、駆動方式としてはモータ５２、プーリ５３と歯付きベルト５４、あるいは図示しないが、ボールねじ方式が公知であり、これも図示しないが、リニアモータ方式も公知である。一般的に扉支持部および駆動部は、戸袋の中央部近辺に配置されており、カバーにおいてもホーム側、軌道側と戸袋全面を覆う構造となっており、ホーム上から１．２ｍ〜１．３ｍの腰高分の視界を遮っている。
【０００３】
【発明が解決しようとする課題】
上記公知例では、扉支持部および駆動部が戸袋中央部付近に配置されており、制御装置５５が扉５６の前面に戸袋５７の幅一杯に配置されている。そのため、戸袋厚さ寸法は、扉支持部および駆動部を取り付ける主枠のフレーム５８、扉５６、ホーム側カバー５９、図示しない軌道側カバーの厚さ方向の隙間、さらに制御装置５５との隙間の関係から必然的に決まってしまい、戸袋厚みを飛躍的に小さくすることができないという問題があった。
また、プラットホームに可動柵を設置した場合、設置前の開放感がなくなり、閉塞感を与えるため、戸袋、扉共中央部をガラスなどの透明材にして閉塞感を緩和する工夫が考えられるが、従来は、扉支持部および駆動部が戸袋中央部付近に配置されていたために、透明材を使っても、内部機構部品が邪魔をして透明範囲を広げることができないという問題があった。
さらに、扉支持に精密なスライドガイド５１を使っているため、塵埃、鉄粉、水などによる影響を最小限にする工夫を施す必要がある他、グリース補充など定期的な保守が必要であるという問題があった。駆動部では、プーリ５３と歯付きベルト５４の組み合わせであり、ベルトの張り調整と定期的保守、交換が必要であるなどの問題もあった。
組立時においても、扉の高さ調整にシム、ライナー調整が一般的なため、作業効率の低下を招くなどの問題があった。
【０００４】
そこで、本発明の課題は、戸袋の厚みを薄くする構造とすると共に、組立調整、保守性、さらに意匠性の面でも優れたプラットホーム用薄型可動柵を提供することにある。
【０００５】
【課題を解決するための手段】
上記課題を解決するために、プラットホーム用可動柵において、扉の支持部を戸袋の最上部に配置し、扉の駆動部を前記戸袋の最下部に配置し、戸袋の中央部を空間にする。
ここで、扉の支持部はつば付きコロによる支持とし、戸袋側にコの字形のブラケットを有してこの内側上下にレールを設けると共に戸袋本体とボルト結合し、扉につば付きコロを有した２本のピンを圧入してレールに支持する構造とし、駆動部は、扉の下部に設置したラックとピニオンによる駆動とする。
ここで、戸袋の全面カバーはホーム側面のみとし、軌道側は扉の支持部および駆動部分のみの部分カバー構造とする。
ここで、戸袋のホーム側面カバーと扉構造を透明材の組合せ構造とする。
【０００６】
【発明の実施の形態】
以下、本発明の実施形態を図面を用いて説明する。
図１は、本発明のプラットホーム用薄型可動柵の一実施形態を示し、プラットホーム用薄型可動柵（以下、単に可動柵と記すこともある。）を軌道側から見た扉閉状態の正面図である。図２は、本発明の扉支持部の拡大図、図３は、図１の垂直面のＡ−Ａ断面の断面図である。
これらの図において、可動柵は、衝立状の戸袋１と、この戸袋１に出入り自在に収納される１枚の引き戸式の扉２とからなり、戸袋１は、プラットホーム４の床面にボルト３により固定されている。扉２は、戸袋１の下レール５、上レール６につば付きコロ７、８で支持し、扉２の下部に取り付けられたラック９を戸袋１に固定設置された駆動モータ１０とピニオン１１で駆動して出入り動作するようになっている。
【０００７】
以下、その構造について説明する。
戸袋１の空間部分を多く確保するために扉支持部、駆動部を戸袋１の最上部と最下部に配置させる。扉２は、図２の扉支持部の拡大図に示すように、高さ方向に数ミリのギャップを持たせて圧入配置したピン１２に軸受１３を介してつば付きコロ７、８を装着し、戸袋１の下レール５、上レール６で支持される。
戸袋１の左右の柱に戸袋フレーム１ａを溶接し、この上に図３に示すコの字形フレーム１４をボルト１７にて締結する。コの字形フレーム１４の内側の上下に調質した加工精度の良い下レール５、上レール６をボルト１８、１９にて締結する。
扉２の重心位置は当然扉の中央付近にあるため、力の作用方向から扉の開側のつば付きコロ７は、下レール５に、扉の開側のつば付きコロ８は上レール６に接触するように数ミリのギャップを取っている。開閉動作時の案内と扉に水平力が作用した場合に耐えられるようにつば付きコロにしてあるが、このつばが開閉動作時に、つば付きコロ７は上レール６に、つば付きコロ８は下レール５に接触しないよう幅方向でもギャップを規定する。万一接触すると、コロの回転を妨げる方向に力が作用し、大きな抵抗となって駆動力に影響を及ぼすことと異音を発生させる恐れがあるためである。
さらに、前記構造の機能を満足させるために、開閉動作状態で扉２の先端に上方向の力が作用した場合のストッパと、左右にブレながら開閉動作することを緩和するためのガイドの役割としてコロ間にナイロン製のストッパガイド１５を設ける。また、戸袋フレーム１ａの扉開側端部および扉閉側にはネジ穴を設け、高さ調整用の調整ボルト１６を取り付ける。一対の可動柵の扉先端がハの字、逆ハの字になった場合あるいは高さが微妙に合わない場合に、コの字フレーム１４を締めているボルト１７を緩め、調整ボルト１６によって簡単に調整できる構造としてある。
【０００８】
一方、駆動部は、戸袋１の扉開側にモーター１０とピニオン１１を上下左右に調整可能なように固定設置し、扉２の最下部にラック９を固定設置して扉２の開閉動作をラック９とピニオン１１による直接噛み合いによる駆動方式としている。なお、駆動部は、従来と同じベルト駆動方式でも可能である。
モーター１０を制御する制御装置２６は、戸袋厚みを最小にするため、扉２を閉じた時の後部空間部に配置する。これは、透明材２２による視界を極力妨げない位置でもある。扉２は上部のコロ二点支持のため、扉下部が横方向の振れる可能性がある。この扉下部の横方向の振れを防止するために、扉２の下部端に軸受け２０を設置し、戸袋１の底面にＵ溝のレール２１を通してこのＵ溝をころ軸受２０を沿わせる構造とする。
【０００９】
戸袋１のカバーは、扉出口周りと制御装置２６の部分は従来と同じ鋼製のカバーとし、ホーム側は扉支持部である上部と駆動部である下部の部分のみ鋼製カバーとして、中央部はガラスなどの透明材２２を取り付けられる構造としてホーム側面を覆い、安全上問題の無い構成としている。当然であるが、ホーム側全て従来と同じ全面鋼製のカバー構造としても問題はない。
軌道側も、扉出口周りと制御装置２６の部分は従来と同じ鋼製のカバーであるが、図３に示す通り、中央部分は扉支持部である上部と駆動部である下部の部分のみをそれぞれ上側、下側から乗降客に危険を及ぼさない範囲に上カバー２３、下カバー２４を配置する構造とし、中間部はカバーなし構造として扉２と軌道側カバー間の寸法を最小限に抑える構造とする。
扉２は、上部と戸袋側の剛性を強くした厚板物構造とし、戸先と下部はやや剛性を落とした厚板物構造とし、中央はガラスなどの透明材２５を取り付けられる構造とする。
【００１０】
本実施形態の可動柵の組み立て調整は、以下の通りである。
扉支持部のつば付きコロ７、８とストッパガイド１５をレール５、６に組み込む。扉２を全閉して相対する扉と戸先を合わせて一致していない場合は、ボルト１７を緩め、調整ボルト１６で高さ調整し、再度ボルト１７にて締め付ける。その後、ラック９とピニオン１１間をモーター１０の取り付けボルトの位置を調整し、噛み合い状態を調整する。
【００１１】
【発明の効果】
以上説明したように、本発明によれば、扉支持部を戸袋の最上部に配置し、駆動部を戸袋の最下部に配置することにより、戸袋の中央部を空間にすることができ、透明材などのカバー構造が可能となり、安全性と意匠性の高い可動柵を提供することが可能となる。
また、扉支持部はつば付きコロを用い、駆動部はラック・ピニオン方式を用いるため、従来構造と比べて定期的保守、部品交換の面でも優位である。
さらに、軌道側のカバーを扉支持部である上部と駆動部である下部の機構部分のみの必要最低限のカバー構造としたため、戸袋の厚みを従来よりも大幅に小さくすることができ、プラットホームの狭い駅に可動柵を設置しても乗降客の通路スペースを最大限有効に確保することができる。
【図面の簡単な説明】
【図１】本発明のプラットホーム用薄型可動柵の一実施形態を示し、プラットホーム用薄型可動柵を軌道側から見た扉閉状態の正面図
【図２】図１の扉支持部の拡大図
【図３】図１の垂直面のＡ−Ａ断面の断面図
【図４】公知例としてのプラットホーム用可動柵をホーム側から見た正面図
【符号の説明】
１…戸袋、１ａ…戸袋フレーム、２…扉、３…ボルト、４…プラットホーム、５…下レール、６…上レール、７…つば付きコロ、８…つば付きコロ、９…ラック、１０…駆動モータ、１１…ピニオン、１２…ピン、１３…軸受、１４…コの字形フレーム、１５…ストッパガイド、１６…調整ボルト、１７…ボルト、１８…ボルト、１９…ボルト、２０…ころ軸受、２１…Ｕ溝レール、２２…透明材、２３…上カバー、２４…下カバー、２５…透明材、２６…制御装置、５１…スライドガイド、５２…モータ、５３…プーリ、５４…歯付きベルト、５５…制御装置、５６…扉、５７…戸袋、５８…主枠フレーム、５９…ホーム側カバー
【図１】
2004114824.tif 000003
【図２】
2004114824.tif 000004
【図３】
2004114824.tif 000005
【図４】
2004114824.tif 000006